(57)【特許請求の範囲】
【請求項１】
空気の吸込口（１７）が設けられた底板部（１５）を有するケーシング（１３）と、
前記ケーシング（１３）内に配設され、下部に空気の流入口（２１）を有するファン（１９）と、
前記ファン（１９）と前記底板部（１５）との間に配設されたフィルター（２３）と、を備えた空気調和機の室内機であって、
前記底板部（１５）は、前記フィルター（２３）の下方に位置するとともに略水平に配置された化粧板（２５）を有し、
前記吸込口（１７）は、前記流入口（２１）の中心からずれた位置において、前記化粧板（２５）の縁部（２５１）に沿って延設されており、
前記吸込口（１７）から吸い込まれた空気が前記フィルター（２３）に向かって流れる吸込流路（３１）内には、前記吸込口（１７）から吸い込まれた空気を、前記フィルター（２３）における前記流入口（２１）の中心（Ｃ）側の領域に案内する案内部材（３３）が設けられており、
前記フィルター（２３）は、前記化粧板（２５）に近接した位置から斜め上方に外側に向かうように水平方向に対して傾斜した姿勢で配置されており、
前記案内部材（３３）は、底面視したときに前記案内部材（３３）の一部又は全部が前記フィルター（２３）と重なるように配置され、
前記案内部材（３３）は、前記吸込口（１７）の延設方向に沿って延びる板状体であり、上端部（３３２）が下端部（３３１）よりも前記流入口（２１）の前記中心（Ｃ）側に位置しており、
前記案内部材（３３）は、前記化粧板（２５）側の表面が凹面となるように前記下端部（３３１）から前記上端部（３３２）に向かって湾曲しており、前記吸込口（１７）から吸い込まれて前記凹面に沿って湾曲しながら流れる空気を前記中心（Ｃ）側に案内することによって、前記吸込口（１７）から吸い込まれた空気を前記フィルター（２３）における前記中心（Ｃ）側の領域と前記フィルター（２３）における外側の領域に分散させるように構成されている、空気調和機の室内機。
【請求項２】
前記案内部材（３３）の前記下端部（３３１）は、前記フィルター（２３）よりも前記吸込口（１７）に近い位置にある、請求項１に記載の空気調和機の室内機。
【請求項３】
前記案内部材（３３）の前記下端部（３３１）は、前記吸込口（１７）とほぼ同じ高さに位置している、請求項２に記載の空気調和機の室内機。
【請求項４】
前記案内部材（３３）の前記下端部（３３１）は、前記延設方向に垂直な前記吸込口（１７）の幅方向において、前記吸込口（１７）の中心よりも前記化粧板（２５）の前記縁部（２５１）に近い位置にある、請求項１〜３のいずれか１項に記載の空気調和機の室内機。
【請求項５】
前記案内部材（３３）よりも前記延設方向に垂直な幅方向の外側に位置し、前記吸込流路（３１）における前記幅方向の外側の空気案内面として機能する内壁面（２９）が設けられており、
前記案内部材（３３）の前記上端部（３３２）は、前記内壁面（２９）の上端部と前記化粧板（２５）の前記縁部（２５１）とに跨る仮想平面（Ｓ）と、前記フィルター（２３）との間に位置している、請求項１〜４のいずれか１項に記載の空気調和機の室内機。
【請求項６】
前記案内部材（３３）の前記下端部（３３１）は、底面視したときに、前記フィルター（２３）の縁部と同じ位置、又は前記フィルター（２３）の前記縁部よりも外側の位置にあり、
前記案内部材（３３）の前記上端部（３３２）は、底面視したときに、前記化粧板（２５）の前記縁部（２５１）と同じ位置、又は前記化粧板（２５）の前記縁部（２５１）よりも前記流入口（２１）の中心側の位置にある、請求項１〜５のいずれか１項に記載の空気調和機の室内機。
【請求項７】
前記案内部材（３３）よりも前記延設方向に垂直な幅方向の外側に位置し、前記吸込流路（３１）における前記幅方向の外側の空気案内面として機能する内壁面（２９）が設けられており、
前記延設方向に垂直な断面において、前記案内部材（３３）は、前記内壁面（２９）の下端部と前記化粧板（２５）の前記縁部（２５１）とを結ぶ直線上の第１の点（Ｐｍ）と、前記内壁面（２９）の上端部と前記化粧板（２５）の前記縁部（２５１）とを結ぶ直線上の第２の点（Ｐｎ）とを通り、
前記第１の点（Ｐｍ）から前記化粧板（２５）の前記縁部（２５１）までの距離（Ｌｍ′）と、前記内壁面（２９）の前記下端部から前記化粧板（２５）の前記縁部（２５１）までの距離（Ｌｍ）との比（Ｌｍ′／Ｌｍ）は、前記第２の点（Ｐｎ）から前記化粧板（２５）の前記縁部（２５１）までの距離（Ｌｎ′）と、前記内壁面（２９）の前記上端部から前記化粧板（２５）の前記縁部（２５１）までの距離（Ｌｎ）との比（Ｌｎ′／Ｌｎ）とほぼ同じである、請求項１〜６のいずれか１項に記載の空気調和機の室内機。
【請求項８】
前記第１の点（Ｐｍ）から前記化粧板（２５）の前記縁部（２５１）までの距離（Ｌｍ′）と、前記内壁面（２９）の前記下端部から前記化粧板（２５）の前記縁部（２５１）までの距離（Ｌｍ）との比（Ｌｍ′／Ｌｍ）は、０．２〜０．４の範囲にある、請求項７に記載の空気調和機の室内機。
【発明の詳細な説明】
【技術分野】
【０００１】
本発明は、空気調和機の室内機に関するものである。
【背景技術】
【０００２】
従来、ケーシングの底板部に吸込口が設けられた空気調和機の室内機が知られている。この種の室内機としては、例えば、室内の天井に設置される天井設置型室内機が挙げられる。この天井設置型室内機としては、天井に設けられた開口から天井裏に埋め込んで設置される天井埋込み型室内機、天井に吊り下げられて設置される天吊り型室内機などが挙げられる。この天井設置型室内機は、ケーシング内に収容されたファン、熱交換器、フィルターなどを備えている。
【０００３】
例えば、天井埋込み型室内機では、ケーシングの大半が天井裏に配置され、ケーシングの底板部が前記開口を塞ぐとともに室内に露出する。フィルターは、ファンと底板部との間に配設される。底板部は、その周縁部に位置する化粧枠と、この化粧枠の枠内に位置する化粧板（遮蔽板）とを有している。遮蔽板は、下方からフィルターを覆い隠すようにフィルターの真下に配置されている。底板部には、遮蔽板の縁部に沿って形成された空気の吸込口と吹出口とが設けられている。
【０００４】
特許文献１には、底面視で略長方形の底板部を有する天井埋込み型室内機が開示されている。特許文献１の図１に示されているように、この室内機の底板部には、遮蔽板の対向する２つの縁部に沿って２つの吸込口が設けられている。ファンは、ケーシング内のほぼ中央に配置されている。ファンの下方には、ファンの下部全体をカバーし得る大きさのフィルターが配置されており、このフィルターの下方に遮蔽板が配置されている。すなわち、吸込口は、遮蔽板の外側に設けられており、ファンの空気流入口の中心（羽根車の回転中心）から外側にずれた位置にある。
【先行技術文献】
【特許文献】
【０００５】
【特許文献１】特開２００５−１８８７６８号公報
【発明の概要】
【発明が解決しようとする課題】
【０００６】
特許文献１の室内機のように、底板部の吸込口がファンの流入口の中心から外側にずれた位置にある場合には、吸込口からケーシング内に流入した空気は、湾曲した経路をたどってファンの流入口に到達することになるので、通風抵抗が大きくなりやすい。通風抵抗が大きくなると、ファンの騒音が大きくなることがある。
【０００７】
そこで、本発明は、かかる点に鑑みてなされたものであり、その目的とするところは、通風抵抗を低減することができる空気調和機の室内機を提供することにある。
【課題を解決するための手段】
【０００８】
本発明の空気調和機の室内機は、空気の吸込口（１７）が設けられた底板部（１５）を有するケーシング（１３）と、前記ケーシング（１３）内に配設され、下部に空気の流入口（２１）を有するファン（１９）と、前記ファン（１９）と前記底板部（１５）との間に配設されたフィルター（２３）と、を備えている。前記底板部（１５）は、前記フィルター（２３）の下方に位置するとともに略水平に配置された化粧板（２５）を有している。前記吸込口（１７）は、前記流入口（２１）の中心からずれた位置において、前記化粧板（２５）の縁部（２５１）に沿って延設されている。前記吸込口（１７）から吸い込まれた空気が前記フィルター（２３）に向かって流れる吸込流路（３１）内には、前記吸込口（１７）から吸い込まれた空気を、前記フィルター（２３）における前記流入口（２１）の中心側の領域に案内する案内部材（３３）が設けられている。
前記フィルター（２３）は、前記化粧板（２５）に近接した位置から斜め上方に外側に向かうように水平方向に対して傾斜した姿勢で配置されており、前記案内部材（３３）は、底面視したときに前記案内部材（３３）の一部又は全部が前記フィルター（２３）と重なるように配置され、前記案内部材（３３）は、前記吸込口（１７）の延設方向に沿って延びる板状体であり、上端部（３３２）が下端部（３３１）よりも前記流入口（２１）の前記中心（Ｃ）側に位置しており、前記案内部材（３３）は、前記化粧板（２５）側の表面が凹面となるように前記下端部（３３１）から前記上端部（３３２）に向かって湾曲しており、前記吸込口（１７）から吸い込まれて前記凹面に沿って湾曲しながら流れる空気を前記中心（Ｃ）側に案内することによって、前記吸込口（１７）から吸い込まれた空気を前記フィルター（２３）における前記中心（Ｃ）側の領域と前記フィルター（２３）における外側の領域に分散させるように構成されている。
【０００９】
前述したように、底板部（１５）の吸込口（１７）がファン（１９）の流入口（２１）の中心から外側にずれた位置にある室内機においては、吸込口（１７）からケーシング（１３）内に流入した空気は、曲がった経路をたどってファン（１９）の流入口（２１）に到達することになる。その過程において、吸込口（１７）からケーシング（１３）内に流入した空気がフィルター（２３）を通過する際には、空気は、フィルター（２３）の一部の領域、すなわち流入口（２１）の中心から外側にずれた領域に集中しやすくなる。空気がフィルター（２３）の一部の領域に集中すると、その領域におけるフィルター（２３）通過時の抵抗が大きくなる。
【００１０】
そこで、本構成では、吸込流路（３１）内に前記案内部材（３３）が設けられている。この案内部材（３３）は、吸込口（１７）から吸い込まれた空気を、フィルター（２３）における流入口（２１）の中心側の領域に案内する。したがって、この構成では、案内部材（３３）が設けられていない場合と比較して、フィルター（２３）に到達する空気を流入口（２１）の中心側により分散させることができるので、空気がフィルター（２３）の一部の領域に集中するのを抑制できる。これにより、空気がフィルター（２３）を通過する際の抵抗が小さくなる。
【００１１】
前記室内機において、上記のように、前記案内部材（３３）は、前記吸込口（１７）の延設方向に沿って延びる板状体であり、上端部（３３２）が下端部（３３１）よりも前記流入口（２１）の中心側に位置している。
【００１２】
この構成では、吸込口（１７）から吸込流路（３１）内に流入した空気は、板状の案内部材（３３）に沿って流入口（２１）の中心側に案内される。これにより、フィルター（２３）に到達する空気を流入口（２１）の中心側により分散させることができるので、空気がフィルター（２３）の一部の領域に集中するのを抑制できる。
【００１３】
前記室内機において、前記案内部材（３３）の前記下端部（３３１）は、前記フィルター（２３）よりも前記吸込口（１７）に近い位置にあるのが好ましい。
【００１４】
この構成では、案内部材（３３）の下端部（３３１）が吸込口（１７）寄りに配置されているので、吸込口（１７）から吸込流路（３１）内に流入した空気は、吸込口（１７）からフィルター（２３）まで移動する過程の早い段階で案内部材（３３）の下端部（３３１）に到達し、それ以降は案内部材（３３）に沿ってフィルター（２３）における流入口（２１）の中心側の領域に案内される。したがって、この構成では、案内部材（３３）による空気の案内効果をより高めることができる。
【００１５】
前記室内機において、前記案内部材（３３）の前記下端部（３３１）は、前記吸込口（１７）とほぼ同じ高さに位置しているのがより好ましい。
【００１６】
この構成では、案内部材（３３）の下端部（３３１）が吸込口（１７）とほぼ同じ高さに配置されているので、吸込口（１７）から吸込流路（３１）内に流入した空気は、その直後に案内部材（３３）の下端部（３３１）に到達し、それ以降は案内部材（３３）に沿ってフィルター（２３）における流入口（２１）の中心側の領域に案内される。したがって、この構成では、案内部材（３３）による空気の案内効果をさらに高めることができる。
【００１７】
前記室内機において、前記案内部材（３３）の前記下端部（３３１）は、前記延設方向に垂直な前記吸込口（１７）の幅方向において、前記吸込口（１７）の中心よりも前記化粧板（２５）の前記縁部（２５１）に近い位置にあるのが好ましい。
【００１８】
後述する図４のグラフにも示されているように、案内部材（３３）の下端部（３３１）が化粧板（２５）の縁部（２５１）寄りに配置されている場合には、その反対側に配置されている場合に比べて通風抵抗の低減効果がより高まる傾向にある。
【００１９】
前記室内機において、前記案内部材（３３）よりも前記延設方向に垂直な幅方向の外側に位置し、前記吸込流路（３１）における前記幅方向の外側の空気案内面として機能する内壁面（２９）が設けられているのが好ましく、この場合において、前記案内部材（３３）の前記上端部（３３２）は、前記内壁面（２９）の上端部と前記化粧板（２５）の前記縁部（２５１）とに跨る仮想平面（Ｓ）と、前記フィルター（２３）との間に位置しているのが好ましい。
【００２０】
前記室内機では、前記内壁面（２９）と化粧板（２５）の縁部（２５１）との間の空間において、空気は、内壁面（２９）及び化粧板（２５）の縁部（２５１）に案内されてフィルター（２３）側に流れる。すなわち、空気は、吸込口（１７）から前記仮想平面（Ｓ）までは、内壁面（２９）及び化粧板（２５）の縁部（２５１）によってフィルター（２３）側に案内される。本構成では、案内部材（３３）の上端部（３３２）が仮想平面（Ｓ）よりもさらにフィルター（２３）側に配置されているので、仮想平面（Ｓ）よりもフィルター（２３）側に移動した空気は、引き続き案内部材（３３）によってフィルター（２３）側に案内される。したがって、この構成では、案内部材によって空気をフィルターのより近くまで案内することができる。
【００２１】
前記室内機において、前記案内部材（３３）の前記下端部（３３１）は、底面視したときに、前記フィルター（２３）の縁部と同じ位置、又は前記フィルター（２３）の前記縁部よりも外側の位置にあり、前記案内部材（３３）の前記上端部（３３２）は、底面視したときに、前記化粧板（２５）の前記縁部（２５１）と同じ位置、又は前記化粧板（２５）の前記縁部（２５１）よりも前記流入口（２１）の中心側の位置にあるのが好ましい。
【００２２】
この構成では、案内部材（３３）の下端部（３３１）及び上端部（３３２）がフィルター（２３）及び化粧板（２５）の縁部（２５１）に対して上記した位置関係にあるので、仮に、フィルター（２３）の端部が吸込口（１７）の真上にある場合であっても、フィルター（２３）の前記端部は、その下方に配置された案内部材（３３）によって覆い隠される。したがって、ユーザーよって前記室内機が下方から目視されたとしても、ユーザーには吸込口（１７）からフィルター（２３）が見えないので、美観性を向上させることができる。
【００２３】
また、この構成では、吸込口（１７）からフィルター（２３）が見えないようにするために、例えば吸込口の幅を狭くする、フィルターを小さくするなどの別の手段を採用する必要がない。仮に、前記別の手段を採用すると、通風抵抗が大きくなってファンの騒音が大きくなり、また、フィルターが小さくなるとフィルターのメンテナンス間隔が短くなるという問題があるが、本構成では、このような問題が生じるのを回避できる。
【００２４】
前記室内機において、上述したように、前記案内部材（３３）は、前記化粧板（２５）側の表面が凹面となるように前記下端部（３３１）から前記上端部（３３２）に向かって湾曲している。
【００２５】
この構成では、案内部材（３３）が上記のような湾曲形状を有しているので、空気は、案内部材（３３）に沿ってフィルター（２３）側に向かってより円滑に案内される。
【００２６】
前記室内機において、前記案内部材（３３）よりも前記延設方向に垂直な幅方向の外側に位置し、前記吸込流路（３１）における前記幅方向の外側の空気案内面として機能する内壁面（２９）が設けられているのが好ましく、この場合、前記延設方向に垂直な断面において、前記案内部材（３３）は、前記内壁面（２９）の下端部と前記化粧板（２５）の前記縁部（２５１）とを結ぶ直線上の第１の点（Ｐｍ）と、前記内壁面（２９）の上端部と前記化粧板（２５）の前記縁部（２５１）とを結ぶ直線上の第２の点（Ｐｎ）とを通り、前記第１の点（Ｐｍ）から前記化粧板（２５）の前記縁部（２５１）までの距離（Ｌｍ′）と、前記内壁面（２９）の前記下端部から前記化粧板（２５）の前記縁部（２５１）までの距離（Ｌｍ）との比（Ｌｍ′／Ｌｍ）は、前記第２の点（Ｐｎ）から前記化粧板（２５）の前記縁部（２５１）までの距離（Ｌｎ′）と、前記内壁面（２９）の前記上端部から前記化粧板（２５）の前記縁部（２５１）までの距離（Ｌｎ）との比（Ｌｎ′／Ｌｎ）とほぼ同じであるのが好ましい。
【００２７】
この構成では、案内部材（３３）は、上記のような位置関係にある第１の点（Ｐｍ）と第２の点（Ｐｎ）を通るように配置されているので、通風抵抗をより小さくすることができる。
【００２８】
また、前記室内機において、前記第１の点（Ｐｍ）から前記化粧板（２５）の前記縁部（２５１）までの距離（Ｌｍ′）と、前記内壁面（２９）の前記下端部から前記化粧板（２５）の前記縁部（２５１）までの距離（Ｌｍ）との比（Ｌｍ′／Ｌｍ）は、０．２〜０．４の範囲にあるのがより好ましい。
【００２９】
後述する図４のグラフにも示されているように、比（Ｌｍ′／Ｌｍ）が０．２〜０．４の範囲にある場合には、通風抵抗を低減する顕著な効果が得られる。
【発明の効果】
【００３０】
以上説明したように、本発明によれば、吸込口から吸い込まれた空気をフィルターにおける流入口の中心側の領域に案内する案内部材が設けられているので、通風抵抗を低減することができる。
【図面の簡単な説明】
【００３１】
【図１】（Ａ）は、本発明の一実施形態にかかる天井埋込み型室内機を示す斜視図であり、（Ｂ）は、その底面図である。
【図２】前記天井埋込み型室内機を示す断面図である。
【図３】（Ａ）及び（Ｂ）は、図２に示す前記天井埋込み型室内機の吸込口付近を拡大した断面図であり、前記天井埋込み型室内機に設けられた案内部材の形状及び配置を説明するための図である。
【図４】前記案内部材の配設位置と抵抗との関係を示すグラフである。
【図５】（Ａ）は、前記天井埋込み型室内機の吸込口付近を拡大した断面図であり、（Ｂ）及び（Ｃ）は、吸込口付近の形状の変形例をそれぞれ示す断面図である。
【図６】（Ａ）は、前記天井埋込み型室内機の前記吸込口から流入した空気の流れを示す断面図であり、（Ｂ）は、従来の天井埋込み型室内機の吸込口から流入した空気の流れを示す断面図である。
【図７】（Ａ）は、前記天井埋込み型室内機のケーシング内の圧力分布を示す断面図であり、（Ｂ）は、従来の天井埋込み型室内機のケーシング内の圧力分布を示す断面図である。
【図８】（Ａ）は、前記案内部材の他の配置例を示す断面図である。（Ｂ）は、従来の天井埋込み型室内機の吸込口付近を拡大した断面図であり、（Ｃ）は、参考例の天井埋込み型室内機の吸込口付近を拡大した断面図である。
【発明を実施するための形態】
【００３２】
以下、本発明の一実施形態について図面を参照しながら詳細に説明する。図１（Ａ），（Ｂ）及び図２に示すように、本実施形態にかかる空気調和機の室内機１１は、室内の天井Ｔに設けられた開口から天井裏に埋め込んで設置される天井埋込み型の室内機である。この室内機１１は、ケーシング１３と、このケーシング１３内に配設されたファン１９、フィルター２３、熱交換器４１及びドレンパン４５とを備えている。
【００３３】
ケーシング１３は、天板部５１と、方向Ｄ１に対向する前板部５２及び図略の後板部と、方向Ｄ２に対向する側板部５３及び側板部５４と、底板部１５とを有している。図１（Ｂ）に示すように、このケーシング１３は、前後方向Ｄ１（以下、長手方向Ｄ１という。）の方がこれに垂直な幅方向Ｄ２よりも長い略直方体の形状を有している。天板部５１、前板部５２、後板部及び一対の側板部５３，５４は、天井裏に配置されており、底板部１５は、天井Ｔの前記開口を塞ぐとともに室内に露出している。
【００３４】
底板部１５は、化粧枠２７と、この化粧枠２７の枠内に位置する化粧板２５とを有している。化粧枠２７は、周縁部２７１と、一対の仕切部２７２とを含む。周縁部２７１は、底板部１５の周縁を構成しており、外形が略長方形である。周縁部２７１は、長手方向Ｄ１に略平行に延びる２つの縁部と、幅方向Ｄ２に略平行に延びる２つの縁部とを有している。
【００３５】
各仕切部２７２は、幅方向Ｄ２に延びる前記２つの縁部に架け渡され、長手方向Ｄ１に略平行に延びている。一方の仕切部２７２は、幅方向Ｄ２に延びる一方の縁部との間に所定の隙間をあけて配置されている。他方の仕切部２７２は、幅方向Ｄ２に延びる他方の縁部との間に所定の隙間をあけて配置されている。これらの隙間は、空気の吹出口１８，１８として機能する。各吹出口１８は、仕切部２７２に沿って延びる細長い長方形の形状を有している。各吹出口１８には、風向きを変更するフラップ４３が設けられている。
【００３６】
化粧板２５は、幅方向Ｄ２に延びる周縁部２７１の前記２つの縁部に架け渡された状態で指示されており、略水平に配置されている。この化粧板２５は、長手方向Ｄ１の方が幅方向Ｄ２よりも長い略長方形であり、一対の仕切部２７２の間に配置されている。化粧板２５は、下方からフィルター２３の大半を覆い隠すようにフィルターの下方に配置されている。化粧板２５における幅方向Ｄ２の両側に位置する縁部２５１，２５１は、平板の端辺を上方及び内側に折り返したような円弧形状の断面を有している。
【００３７】
一対の仕切部２７２は、隣り合う縁部２５１と所定の隙間をあけて配置されている。これらの隙間は、空気の吸込口１７，１７として機能する。各吸込口１７は、仕切部２７２に沿って延びる細長い長方形の形状を有している。各吸込口１７は、ファン１９の流入口２１の中心（後述する直線Ｃ）からずれた位置に設けられている。各吸込口１７は、化粧板２５の縁部２５１と化粧枠２７の仕切部２７２との間に位置している。
【００３８】
本実施形態では、ケーシング１３内に空気が吸い込まれる入口として機能する領域は、上述した一対の吸込口１７，１７のみであり、化粧板２５自体には、空気吸い込み用の貫通口などは設けられていないが、これに限定されない。室内機１１において、あくまでもメインの空気吸い込み用の入口は、ファン１９の流入口２１の中心（直線Ｃ）からずれた位置に設けられた吸込口（例えば、本実施形態の一対の吸込口１７，１７）であるが、例えば補助的な空気の吸込口として化粧板２５の一部に貫通口やスリットなどが設けられていてもよい。
【００３９】
ファン１９としては、例えば遠心送風機などを用いることができる。本実施形態のファン１９は、ターボファンであるが、シロッコファンなどの他の遠心送風機を用いてもよく、遠心送風機以外の他の送風機を用いてもよい。ファン１９は、羽根車と、この羽根車に回転軸１９ｅを介して連結されたモータ１９ｄと、前記羽根車の下方に配置されたベルマウス１９ｃとを含む。
【００４０】
前記羽根車は、ハブ１９ａと、シュラウド１９ｆと、複数の羽根１９ｂとを含む。モータ１９ｄは、天板部５１の略中央に固定されている。回転軸１９ｅは、モータ１９ｄから下方に延びている。回転軸１９ｅの下端部には、ハブ１９ａが固定されている。前記羽根車は、モータ１９ｄの駆動により、回転軸１９ｅの中心を通る直線Ｃを中心に回転する。
【００４１】
ベルマウス１９ｃは、シュラウド１９ｆの下方に配置されている。ベルマウス１９ｃは、上下方向Ｄ３に貫通する空気の流入口２１を有している。この流入口２１は、底面視で円形の開口を有している。この流入口２１の中心は、回転軸１９ｅの中心を通る直線Ｃ上にほぼ位置している。
【００４２】
熱交換器４１は、厚みの小さな扁平な形状を有している。熱交換器４１は、その下端部に沿って延設された皿状のドレンパン４５から上方に起立した状態で前記羽根車の周囲を囲むように配置されている。ドレンパン４５は、熱交換器４１において生じる水滴を収容する。収容された水は図略の排水経路を通じて排出される。
【００４３】
フィルター２３は、ファン１９と底板部１５との間に配設されている。図２に示すように、フィルター２３は、扁平な形状を有し、各吸込口１７からファン１９の流入口２１に至る経路上において、空気の流れ方向と交わるように、水平方向に対して若干傾斜した姿勢で略Ｖ字状に配設されている。
【００４４】
ファン１９が駆動すると、各吸込口１７を通じて室内の空気がケーシング１３内に吸い込まれる。吸込口１７から吸い込まれた空気がフィルター２３に向かって流れる吸込流路３１内には、案内部材３３が設けられている。
【００４５】
案内部材３３は、吸込口１７から吸い込まれた空気の一部を、吸込流路３１内において直線Ｃ側に案内する。これにより、案内部材３３が設けられていない場合と比較して、フィルター２３における流入口２１の中心側（直線Ｃ側）の部位を通過する空気の割合が増加する。
【００４６】
案内部材３３は、吸込口１７の延設方向（本実施形態では長手方向Ｄ１）に沿って延びる板状体である。この案内部材３３は、例えば化粧板２５や化粧枠２７などの底板部１５に支持されている。
【００４７】
案内部材３３は、上端部３３２が下端部３３１よりも流入口２１の中心側（直線Ｃ側）に位置している。案内部材３３の下端部３３１は、吸込口１７とほぼ同じ高さに位置している。
【００４８】
各案内部材３３は、化粧板２５側の表面が凹面となるように下端部３３１から上端部３３２に向かって湾曲している。また、化粧枠２７の各仕切部２７２は、吸込流路３１における化粧板２５側の空気案内面として機能する内壁面２９を有している。各内壁面２９は、湾曲する凹面である。各案内部材３３は、対応する内壁面２９の湾曲形状に沿う形状を有している。
【００４９】
各案内部材３３は、例えば次のようにして位置決めされる。図３（Ａ）及び図３（Ｂ）は、図２に示す室内機１１の吸込口１７付近を拡大した断面図であり、室内機１１に設けられた案内部材３３の形状及び配置を説明するための図である。この配置例では、図３（Ａ）及び図３（Ｂ）に示すように、長手方向Ｄ１に垂直な断面において、案内部材３３は、第１の点Ｐｍと、第２の点Ｐｎとを通るように配置される。より好ましくは、案内部材３３は、図３（Ｂ）に示すように、第１の点Ｐｍから鉛直方向の下方に引いた垂線Ｌｐが第１の点Ｐｍにおける接線となるように湾曲した円弧形状に形成される。
【００５０】
第１の点Ｐｍは、内壁面２９の下端部と化粧板２５の縁部２５１とを結ぶ直線上の点である。第２の点Ｐｎは、内壁面２９の上端部と化粧板２５の縁部２５１とを結ぶ直線上の点である。ここで、本実施形態における化粧板２５の縁部２５１は、上述したように平板の端辺を上方及び内側に折り返したような円弧形状の断面を有しているので、第１の点Ｐｍ及び第２の点Ｐｎは、例えば次のようにして位置決めすることができる。
【００５１】
第１の点Ｐｍを決めるときには、縁部２５１における外側端部（幅方向Ｄ２の端部）２５１ａを基準とする。また、内壁面２９の下端部としては、外側端部２５１ａから水平方向に延ばした直線Ｍと内壁面２９とが交わる箇所を下端部２９ａとする。
【００５２】
第２の点Ｐｎを決めるときには、縁部２５１における最上の部位である上側端部２５１ｂを基準とする。また、内壁面２９の上端部としては、内壁面２９の湾曲形状の終点を上端部２９ｂとする。この実施形態の場合、湾曲形状の終点とは、図３（Ａ）に示すように、湾曲して滑らかに面の傾き（面の向き）が変化している内壁面２９の上端部であり、ドレンパン４５の側面との境界部分である。第２の点Ｐｎは、上端部２９ｂと縁部２５１の上側端部２５１ｂとを結ぶ直線Ｎ上の点である。
【００５３】
そして、第１の点Ｐｍと第２の点Ｐｎとは、図３（Ａ）に示す比（Ｌｍ′／Ｌｍ）が比（Ｌｎ′／Ｌｎ）とほぼ同じとなるように位置決めされるのが好ましい。比（Ｌｍ′／Ｌｍ）は、第１の点Ｐｍから化粧板２５の縁部２５１までの距離Ｌｍ′と、内壁面２９の下端部から化粧板２５の縁部２５１までの距離Ｌｍとの比である。また、比（Ｌｎ′／Ｌｎ）は、第２の点Ｐｎから化粧板２５の縁部２５１までの距離Ｌｎ′と、内壁面２９の上端部から化粧板２５の縁部２５１までの距離Ｌｎとの比である。
【００５４】
また、案内部材３３の下端部３３１は、吸込口１７の幅方向（幅方向Ｄ２）において、吸込口１７の中心よりも化粧板２５の縁部２５１に近い位置にあるのが好ましい。具体的には、図４のグラフに示すように、比（Ｌｍ′／Ｌｍ）は、０．５未満であるのが好ましく、比（Ｌｍ′／Ｌｍ）は、０．２〜０．４の範囲にあるのがより好ましい。比（Ｌｍ′／Ｌｍ）が０．２〜０．４の範囲にある場合には、通風抵抗が２割以上低減されている。なお、図４のグラフにおいて、縦軸の抵抗比は、案内部材３３を配設していない場合の通風抵抗を「１．０」としたときの本実施形態の室内機１１の通風抵抗を示している。
【００５５】
図３（Ｂ）に示す形態では、案内部材３３の下端部３３１は、第１の点Ｐｍにあり、上端部３３２は、第２の点Ｐｎにあるが、これに限定されない。例えば、図５（Ａ）に示すように、案内部材３３の上端部３３２が第２の点Ｐｎよりもさらにフィルター２３側に延設されていてもよい。また、図示を省略するが、案内部材３３の下端部３３１が第１の点Ｐｎよりもさらに下方に延設されていてもよい。図５（Ａ）に示す形態では、案内部材３３の上端部３３２は、内壁面２９の上端部と化粧板２５の縁部２５１とに跨る仮想平面Ｓと、フィルター２３との間に位置している。ここでいう仮想平面Ｓは、例えば図５（Ｂ）及び図５（Ｃ）に示す形態の場合には、次のように定義される。
【００５６】
まず、図５（Ｂ）に示す形態では、内壁面２９は、化粧枠２７の各仕切部２７２に設けられた空気案内面である第１内壁面２９１と、仕切部２７２の上部に配置された部材（本実施形態ではドレンパン４５）の下面の一部により形成された空気案内面である第２内壁面２９２とを含む。この第２内壁面２９２は、第１内壁面２９１の上端につながっており、第１内壁面２９１と連続した案内面を形成している。図５（Ｂ）に示す形態の場合、内壁面２９の上端部２９ｂは、ドレンパン４５の下面の端部（フィルター２３側の端部）となる。なお、仕切部２７２の第１内壁面２９１は、図５（Ｂ）に示すように、鉛直方向に延びる平面と斜め上方に延びる平面との組合せであってもよい。
【００５７】
また、図５（Ｃ）に示す形態でも同様に、内壁面２９は、化粧枠２７の各仕切部２７２に設けられた空気案内面である第１内壁面２９１と、仕切部２７２の上部に配置された部材（本実施形態ではドレンパン４５）の下面の一部により形成された空気案内面である第２内壁面２９２とを含む。図５（Ｂ）に示す形態の場合も同様に、内壁面２９の上端部２９ｂは、ドレンパン４５の下面の端部（フィルター２３側の端部）となる。
【００５８】
図６（Ａ）及び図６（Ｂ）は、数値解析により空気の流れを流線で示した図である。図６（Ａ）は、室内機１１の吸込口１７から流入した空気の流れを示す断面図であり、図６（Ｂ）は、案内部材３３を設けていない室内機の吸込口１７から流入した空気の流れを示す断面図である。図６（Ａ）及び図６（Ｂ）では、空気の流量が多い領域は流線の密集度合いが高く、空気の流量が少ない領域は流線の密集度合いが低い。案内部材３３の有無を除いて、図６（Ａ）の室内機と図６（Ｂ）の室内機の他の部位の構成は同様とした。また、図６（Ａ）の室内機と図６（Ｂ）の室内機においては、吸込口１７から流入する空気の総量を同じ値に設定した。
【００５９】
図６（Ａ）及び図６（Ｂ）に示すように、吸込流路３１内に案内部材３３を設けることにより、吸込口１７から吸い込まれた空気は、フィルター２３における直線Ｃ側（流入口２１の中心側）の領域に案内されて、この領域に流れる空気の割合が増加していることがわかる。また、図６（Ａ）の矢印Ｈ１と図６（Ｂ）の矢印Ｈ２を比較するとわかるように、案内部材３３を設けることにより、空気はフィルター２３のより広い範囲に分散して流れており、フィルター２３をより有効に利用できている。また、図６（Ｂ）に示すように、案内部材３３を設けていない場合には、内壁面２９の近傍において渦流Ｆが発生しており、吸込流路が有効に利用できていないことがわかる。
【００６０】
図７（Ａ）及び図７（Ｂ）は、数値解析により圧力分布を等圧線で示した図である。図７（Ａ）は、室内機１１のケーシング１３内の圧力分布を示す断面図であり、図７（Ｂ）は、案内部材３３を設けていない室内機のケーシング内の圧力分布を示す断面図である。図７（Ａ）及び図７（Ｂ）では、等圧線の１目盛りは５Ｐａの圧力を示している。案内部材３３の有無を除いて、図６（Ａ）の室内機と図６（Ｂ）の室内機の他の部位の構成は同様とした。
【００６１】
図７（Ａ）の室内機１１において、位置Ａと位置Ｂの圧力差は、３５Ｐａであった。一方、図７（Ｂ）の室内機において、位置Ａと位置Ｂの圧力差は、４８Ｐａであった。このように案内部材３３を設けた場合には、ケーシング１３内と外部との圧力差が小さくなり、吸込口１７からケーシング１３内に空気が吸い込まれる際の抵抗が小さくなることがわかる。
【００６２】
図８（Ａ）は、案内部材の他の配置例を示す断面図である。図８（Ｂ）は、従来の天井埋込み型室内機の吸込口付近を拡大した断面図であり、（Ｃ）は、参考例の天井埋込み型室内機の吸込口付近を拡大した断面図である。
【００６３】
図８（Ａ）に示すように、この形態では、案内部材３３の下端部３３１は、底面視したときに、フィルター２３の縁部２３ａとほぼ同じ位置にある。また、案内部材３３の上端部３３２は、底面視したときに、化粧板２５の縁部２５１とほぼ同じ位置にある。一方、図８（Ｂ）に示す従来の室内機では、案内部材が設けられていないので、吸込口１７を通じて下方からフィルター２３が目視される。また、フィルター２３が吸込口１７を通じて見えないように、図８（Ｃ）に示すようにフィルター２３を小さくすると、通風抵抗が大きくなるとともに、フィルターのメンテナンス間隔が短くなる。
【００６４】
以上説明したように、前記実施形態では、吸込流路３１内に設けられた案内部材３３は、吸込口１７から吸い込まれた空気を、フィルター２３における流入口２１の中心側の領域に案内する。したがって、この構成では、案内部材３３が設けられていない場合と比較して、フィルター２３に到達する空気を流入口２１の中心側により分散させることができるので、空気がフィルター２３の一部の領域に集中するのを抑制できる。これにより、空気がフィルター２３を通過する際の抵抗が小さくなる。
【００６５】
また、前記実施形態では、吸込口１７から吸込流路３１内に流入した空気は、板状の案内部材３３に沿って流入口２１の中心側に案内される。これにより、フィルター２３に到達する空気を流入口２１の中心側により分散させることができるので、空気がフィルター２３の一部の領域に集中するのを抑制できる。
【００６６】
また、前記実施形態では、案内部材３３の下端部３３１が吸込口１７とほぼ同じ高さに配置されているので、吸込口１７から吸込流路３１内に流入した空気は、その直後に案内部材３３の下端部３３１に到達し、それ以降は案内部材３３に沿ってフィルター２３における流入口２１の中心側の領域に案内される。したがって、この構成では、案内部材３３による空気の案内効果をさらに高めることができる。
【００６７】
また、前記実施形態では、案内部材３３の下端部３３１が化粧板２５の縁部２５１寄りに配置されているので、その反対側に配置されている場合に比べて通風抵抗の低減効果がより高まる傾向にある。
【００６８】
また、前記実施形態では、案内部材３３の下端部３３１は、底面視したときに、フィルター２３の縁部と同じ位置にあり、案内部材３３の上端部３３２は、底面視したときに、化粧板２５の縁部２５１と同じ位置にあるので、フィルター２３の端部は、その下方に配置された案内部材３３によって覆い隠される。したがって、ユーザーよって室内機１１が下方から目視されたとしても、ユーザーには吸込口１７からフィルター２３が見えないので、美観性を向上させることができる。
【００６９】
また、前記実施形態では、案内部材３３が湾曲形状を有している場合には、空気は、案内部材３３に沿ってフィルター２３側に向かって円滑に案内される。
【００７０】
また、前記実施形態のように、案内部材３３が前述した第１の点Ｐｍと第２の点Ｐｎを通るように配置されている場合には、通風抵抗をより小さくすることができる。特に、比（Ｌｍ′／Ｌｍ）が０．２〜０．４の範囲にある場合には、通風抵抗を低減する顕著な効果が得られる。
【００７１】
（他の実施形態）
なお、本発明は、前記実施形態に限られるものではなく、その趣旨を逸脱しない範囲で種々変更、改良等が可能である。例えば、前記実施形態では、空気調和機の室内機として、天井埋込み型室内機を例に挙げて説明したが、これに限定されない。本発明は、底板部に空気の吸込口が設けられ、前記吸込口がファンの流入口の中心からずれた位置に設けられている他の室内機（例えば、天吊り型室内機など）にも適用することができる。
【００７２】
前記実施形態では、底板を構成する化粧枠と化粧板とが別体である場合を例に挙げて説明したが、化粧枠と化粧板とは一体の部材であってもよい。
【００７３】
前記実施形態では、案内部材３３はＤ１方向に吸込口１７と同じ長さに延設されているがこれに限定されない。例えば、前記案内部材はファンの近傍だけに設置された形状でもよい。
【００７４】
前記実施形態では、前記案内部材が湾曲した形状である場合を例に挙げて説明したが、これに限定されない。例えば、前記案内部材は、鉛直方向に対してファンの流入口の中心側に傾斜した平板であってもよく、また、湾曲した部位と平板の部位とを組み合わせた形状であってもよい。
【００７５】
前記実施形態では、案内部材３３の下端部３３１は、吸込口１７とほぼ同じ高さに位置している場合を例に挙げて説明したが、これに限定されず、吸込口１７よりも上方に位置していてもよい。ただし、案内部材３３の下端部３３１は、フィルター２３よりも吸込口１７に近い位置にあるのが好ましい。
【００７６】
前記実施形態では、図３（Ａ）及び図３（Ｂ）に示すようにして案内部材３３の位置決めをする場合を例に挙げて説明したが、これに限定されない。本発明では、比（Ｌｍ′／Ｌｍ）は、比（Ｌｎ′／Ｌｎ）と必ずしも同じでなくてもよい。
【００７７】
前記実施形態では、案内部材３３は、各吸込流路３１内に１つ設けられる場合を例に挙げて説明したが、各吸込流路３１内に２つ以上並設されていてもよい。
【符号の説明】
【００７８】
１１  室内機
１３  ケーシング
１５  底板部
１７  吸込口
１８  吹出口
１９  ファン
２１  ファンの空気流入口
２３  フィルター
２５  化粧板
２５１  化粧板の縁部
２７  化粧枠
２７１  化粧枠の周縁部
２７２  化粧枠の仕切部
２９  内壁面
３１  吸込流路
３３  案内部材
３３１  案内部材の下端部
３３２  案内部材の上端部
Ｃ  羽根車の回転中心（流入口の中心）
Ｌｍ′  第１の点から化粧板の縁部までの距離
Ｌｍ  内壁面の下端部から化粧板の縁部までの距離
Ｌｎ′  第２の点から化粧板の縁部までの距離
Ｌｎ  内壁面の上端部から化粧板の縁部までの距離
Ｐｍ  第１の点
Ｐｎ  第２の点
Ｓ  仮想平面
【図１】
0005609498.tif 000002
【図２】
0005609498.tif 000003
【図３】
0005609498.tif 000004
【図５】
0005609498.tif 000005
【図６】
0005609498.tif 000006
【図８】
0005609498.tif 000007
【図４】
0005609498.tif 000008
【図７】
0005609498.tif 000009